【手続補正書】
【提出日】平成15年10月21日(2003.10.21)
【手続補正１】
【補正対象書類名】明細書
【補正対象項目名】特許請求の範囲
【補正方法】変更
【補正の内容】
【特許請求の範囲】
【請求項１】
所定の搬送方向に記録媒体を搬送する第１の搬送手段と、該第１の搬送手段よりも前記所定の搬送方向下流側に配置され、記録媒体を前記所定の搬送方向のさらに下流側に搬送する第２の搬送手段とを備え、前記第１の搬送手段まで搬送されてきた記録媒体を前記第２の搬送手段に搬送する記録媒体搬送装置において、
前記第１の搬送手段から前記第２の搬送手段までの間に滞留した用紙に接触する接触位置と該滞留した用紙から離れた非接触位置との間を移動し、前記接触位置に位置したときに所定方向に動かすことにより、前記滞留した用紙を搬送する第３の搬送手段を備えたことを特徴とする記録媒体搬送装置。
【請求項２】
所定の搬送方向に記録媒体を搬送する第１の搬送手段と、該第１の搬送手段よりも前記所定の搬送方向下流側に配置され、記録媒体を前記所定の搬送方向のさらに下流側に搬送する第２の搬送手段とを備え、前記第１の搬送手段まで搬送されてきた記録媒体を前記第２の搬送手段に搬送する記録媒体搬送装置において、
前記第１の搬送手段から前記第２の搬送手段までの間の搬送路に配置された、手動で回転する半月状ローラを備えたことを特徴とする記録媒体搬送装置。
【請求項３】
手動回転する前記半月状ローラに連動して前記第１あるいは第２の搬送手段の少なくとも一方を回転させる連動手段を備えたことを特徴とする請求項２に記載の記録媒体搬送装置。
【請求項４】
所定の搬送方向に用紙を搬送する第１のローラと、該第１のローラよりも前記所定の搬送方向下流側に配置され、用紙を前記所定の搬送方向のさらに下流側に搬送する第２のローラと、前記第１のローラによって搬送されてきた用紙を前記第２のローラに案内する、前記第１及び第２のローラの間に配置されたガイド板とを備え、前記第１のローラまで搬送されてきた記録媒体を前記第２のローラに搬送する記録媒体搬送装置において、
前記第１のローラから前記第２のローラまでの間で滞留した用紙に接触する円弧状部分と該滞留した用紙には非接触の平面状部分とを有し、所定方向に回転させることにより前記円弧状部分が前記滞留した用紙に接触して該滞留した用紙を搬送する半月状ローラを備えたことを特徴とする記録媒体搬送装置。
【請求項５】
前記半月状ローラは、
前記滞留した用紙に対する摩擦係数を高める高摩擦部材が前記円弧状部分に固定されたものであることを特徴とする請求項２、３又は４記載の記録媒体搬送装置。
【請求項６】
前記ガイド板上の搬送路から離れた位置に前記円弧状部分を位置させた状態で前記半月状ローラを固定する位置決め手段を備えたことを特徴とする請求項４又は５記載の記録媒体搬送装置。
【請求項７】
前記ガイド板のうち、前記半月状ローラに向き合う部分に、凹部が形成されてなるものであることを特徴とする請求項４、５又は６記載の記録媒体搬送装置。
【請求項８】
回転する前記半月状ローラに連動して前記第１あるいは第２のローラの少なくとも一方を回転させる連動手段を備えたことを特徴とする請求項４から７までのうちのいずれか一項に記載の記録媒体搬送装置。
【請求項９】
所定の搬送方向に記録媒体を搬送する第１の搬送手段と、該第１の搬送手段よりも前記所定の搬送方向下流側に配置され、記録媒体を前記所定の搬送方向のさらに下流側に搬送する第２の搬送手段とを備え、前記第１の搬送手段まで搬送されてきた記録媒体を前記第２の搬送手段に搬送する記録媒体搬送装置において、
前記第１の搬送手段から前記第２の搬送手段までの間に、両搬送手段間の距離よりも短いため滞留した用紙を搬送する第３の搬送手段を備えたことを特徴とする記録媒体搬送装置。
【手続補正２】
【補正対象書類名】明細書
【補正対象項目名】００１０
【補正方法】変更
【補正の内容】
【００１０】
【課題を解決するための手段】
上記目的を達成するための本発明の記録媒体搬送装置は、所定の搬送方向に記録媒体を搬送する第１の搬送手段と、該第１の搬送手段よりも前記所定の搬送方向下流側に配置され、記録媒体を前記所定の搬送方向のさらに下流側に搬送する第２の搬送手段とを備え、
前記第１の搬送手段まで搬送されてきた記録媒体を前記第２の搬送手段に搬送する記録媒体搬送装置において、
（１）前記第１の搬送手段から前記第２の搬送手段までの間に滞留した用紙に接触する接触位置と該滞留した用紙から離れた非接触位置との間を移動し、前記接触位置に位置したときに所定方向に動かすことにより、前記滞留した用紙を搬送する第３の搬送手段を備えたことを特徴とするものである。


【手続補正３】
【補正対象書類名】明細書
【補正対象項目名】００１１
【補正方法】変更
【補正の内容】
【００１１】
上記目的を達成するための本発明の他の記録媒体搬送装置は、所定の搬送方向に記録媒体を搬送する第１の搬送手段と、該第１の搬送手段よりも前記所定の搬送方向下流側に配置され、記録媒体を前記所定の搬送方向のさらに下流側に搬送する第２の搬送手段とを備え、前記第１の搬送手段まで搬送されてきた記録媒体を前記第２の搬送手段に搬送する記録媒体搬送装置において、
（２）前記第１の搬送手段から前記第２の搬送手段までの間の搬送路に配置された、手動で回転する半月状ローラを備えたことを特徴とするものである。
ここで、
（３）手動回転する前記半月状ローラに連動して前記第１あるいは第２の搬送手段の少なくとも一方を回転させる連動手段を備えてもよい。


【手続補正４】
【補正対象書類名】明細書
【補正対象項目名】００１２
【補正方法】変更
【補正の内容】
【００１２】
上記目的を達成するための本発明のさらに他の記録媒体搬送装置は、所定の搬送方向に用紙を搬送する第１のローラと、該第１のローラよりも前記所定の搬送方向下流側に配置され、用紙を前記所定の搬送方向のさらに下流側に搬送する第２のローラと、前記第１のローラによって搬送されてきた用紙を前記第２のローラに案内する、前記第１及び第２のローラの間に配置されたガイド板とを備え、前記第１のローラまで搬送されてきた記録媒体を前記第２のローラに搬送する記録媒体搬送装置において、
（４）前記第１のローラから前記第２のローラまでの間で滞留した用紙に接触する円弧状部分と該滞留した用紙には非接触の平面状部分とを有し、所定方向に回転させることにより前記円弧状部分が前記滞留した用紙に接触して該滞留した用紙を搬送する半月状ローラを備えたことを特徴とするものである。


【手続補正５】
【補正対象書類名】明細書
【補正対象項目名】００１３
【補正方法】変更
【補正の内容】
【００１３】
ここで、
（５）前記半月状ローラは、前記滞留した用紙に対する摩擦係数を高める高摩擦部材が前記円弧状部分に固定されたものであってもよい。
また、
（６）前記ガイド板上の搬送路から離れた位置に前記円弧状部分を位置させた状態で前記半月状ローラを固定する位置決め手段を備えてもよい。


【手続補正６】
【補正対象書類名】明細書
【補正対象項目名】００１４
【補正方法】変更
【補正の内容】
【００１４】
さらに、
（７）前記ガイド板のうち、前記半月状ローラに向き合う部分に、凹部が形成されてなるものであってもよい。
さらにまた、
（８）回転する前記半月状ローラに連動して前記第１あるいは第２のローラの少なくとも一方を回転させる連動手段を備えてもよい。


【手続補正７】
【補正対象書類名】明細書
【補正対象項目名】００１５
【補正方法】変更
【補正の内容】
【００１５】
上記目的を達成するための本発明のさらに他の記録媒体搬送装置は、所定の搬送方向に記録媒体を搬送する第１の搬送手段と、該第１の搬送手段よりも前記所定の搬送方向下流側に配置され、記録媒体を前記所定の搬送方向のさらに下流側に搬送する第２の搬送手段とを備え、前記第１の搬送手段まで搬送されてきた記録媒体を前記第２の搬送手段に搬送する記録媒体搬送装置において、
（９）前記第１の搬送手段から前記第２の搬送手段までの間に、両搬送手段間の距離よりも短いため滞留した用紙を搬送する第３の搬送手段を備えたことを特徴とするものである。